(57)【要約】【課題】ドラムユニットを画像形成装置に装着する際に、仮に現像カートリッジのロックが外れたとしても、現像ローラが感光ドラムに接触している状態になることを防止できるドラムユニットおよびプロセスカートリッジを提供する。【解決手段】  ドラムユニット１は、感光ドラム３Ｍを有する。ドラムユニット１は、現像ローラ１０３を有する現像カートリッジ１０１Ｍを装着可能である。ドラムユニット１は、ロックレバー１１Ｍと、第１突起２３Ａとを有する。第１突起２３Ａは、現像カートリッジ１０１Ｍがドラムユニット１に装着された状態で、ロック位置からロック解除位置に移動した場合に、現像カートリッジ１０１Ｍと接触し、現像ローラ１０３を感光ドラム３Ｍから離間させる。【選択図】図６
2018173563.tif 000002
【特許請求の範囲】
【請求項１】
第１方向に延びる現像軸について回転可能な現像ローラと、トナーを収容可能な筐体と、を有する現像カートリッジを装着可能なドラムユニットであって、
前記第１方向に延びるドラム軸について回転可能な感光ドラムと、
前記現像カートリッジを装着可能なフレームであって、前記第１方向における前記感光ドラムの一端部を支持する第１側板と、前記第１方向において前記第１側板と間隔を隔てて位置する第２側板であって、前記第１方向における前記感光ドラムの他端部を支持する第２側板と、前記第１方向において前記第１側板と前記第２側板との間に位置する連結板と、を有するフレームと、
前記現像ローラが前記感光ドラムに接触する状態で、前記ドラムユニットに前記現像カートリッジをロックするためのロックレバーと、を備え、
前記連結板は、
前記現像カートリッジが前記フレームに装着された状態で、前記現像カートリッジが前記ロックレバーによって前記ドラムユニットにロックされるロック位置に位置する場合に、前記筐体と離れて位置する第１突起であって、
前記現像カートリッジが前記フレームに装着された状態で、前記現像カートリッジが前記ロック位置から前記ロックレバーによる前記ドラムユニットに対する前記現像カートリッジのロックが解除されるロック解除位置に移動した場合に、前記筐体と接触し、前記現像ローラを前記感光ドラムから離間させる第１突起を有する、ことを特徴とするドラムユニット。
【請求項２】
前記第１突起は、前記現像カートリッジが前記ロック解除位置に位置するときに、前記現像軸よりも上方に位置することを特徴とする、請求項１に記載のドラムユニット。
【請求項３】
前記連結板は、さらに、前記第１方向において前記第１突起と間隔を隔てて位置する第２突起を有することを特徴とする、請求項１または請求項２に記載のドラムユニット。
【請求項４】
前記現像カートリッジは、前記第１方向に延び、前記第１方向における前記筐体の外表面に位置するボスであって、前記現像カートリッジが前記ロック位置に位置するときに、前記ロックレバーと接触するボスを有し、
前記ロックレバーは、前記現像カートリッジが前記ロック解除位置に位置するときに、前記ボスと接触する、ことを特徴とする請求項１から請求項３のいずれか一項に記載のドラムユニット。
【請求項５】
第１方向に延びる現像軸について回転可能な現像ローラと、トナーを収容可能な筐体と、前記第１方向における前記現像ローラの一端部に位置する現像ローラギアであって、前記現像ローラとともに回転可能な現像ローラギアと、前記現像ローラギアを覆うギアカバーであって、前記第１方向における前記筐体の一端部に位置するギアカバーと、を有する現像カートリッジと、
前記現像カートリッジが装着可能なドラムユニットであって、前記第１方向に延びるドラム軸について回転可能な感光ドラムと、前記現像カートリッジを装着可能なフレームであって、前記第１方向における前記感光ドラムの一端部を支持する第１側板と、前記第１方向において前記第１側板と間隔を隔てて位置する第２側板であって、前記第１方向における前記感光ドラムの他端部を支持する第２側板とを有するフレームと、前記現像ローラが前記感光ドラムに接触した状態で、前記ドラムユニットに前記現像カートリッジをロックするためのロックレバーと、を有するドラムユニットと、を備えたプロセスカートリッジにおいて、
前記第１側板および前記第２側板のそれぞれは、前記ドラムユニットに対する前記現像カートリッジの装着をガイドするためのガイドを有し、
前記ギアカバーは、
前記現像カートリッジが前記フレームに装着された状態で、前記現像カートリッジが前記ロックレバーにロックされるロック位置に位置する場合に、前記ガイドと離れて位置する突起であって、
前記現像カートリッジが前記フレームに装着された状態で、前記現像カートリッジが前記ロック位置から前記ロックレバーのロックが解除されるロック解除位置に移動した場合に、前記ガイドと接触し、前記現像ローラを前記感光ドラムから離間させる突起を有する、ことを特徴とするプロセスカートリッジ。
【請求項６】
前記突起は、前記現像カートリッジが前記ロック解除位置に位置するときに、前記現像軸よりも上方に位置することを特徴とする、請求項５に記載のプロセスカートリッジ。
【請求項７】
前記現像カートリッジは、さらに、前記現像ローラに駆動力を伝えることができるカップリングであって、前記第１方向に延びるカップリング軸について回転可能なカップリングを有し、
前記ギアカバーは、前記カップリングの周面を覆う筒部と、を備え、
前記突起は、前記筒部から突出することを特徴とする、請求項５または請求項６に記載のプロセスカートリッジ。
【発明の詳細な説明】
【技術分野】
【０００１】
本発明は、ドラムユニットおよびプロセスカートリッジに関する。
【背景技術】
【０００２】
従来より、現像カートリッジが装着されるドラムユニットが知られている。例えば、ドラムユニットは、ロックレバーを備える。ロックレバーは、現像カートリッジをドラムユニットに対してロックする（下記特許文献１参照）。
【先行技術文献】
【特許文献】
【０００３】
【特許文献１】特開２００９−２１０６３１号公報
【発明の概要】
【発明が解決しようとする課題】
【０００４】
上記した特許文献１に記載のドラムユニットにおいて、ドラムユニットを画像形成装置に装着する際に、現像ローラが感光ドラムに接触した状態で、ドラムユニットに対する現像カートリッジのロックが外れることがあり得るかもしれない。この状態では、現像ローラが、適切な押圧力で感光ドラムに押圧されない。そのため、現像ローラ上のトナーが、安定して感光ドラム上に移動しないおそれがある。
【０００５】
そこで、本開示の目的は、ドラムユニットを画像形成装置に装着する際に、仮に現像カートリッジのロックが外れたとしても、現像ローラが感光ドラムに接触している状態になることを防止できるドラムユニットおよびプロセスカートリッジを提供することにある。
【課題を解決するための手段】
【０００６】
本発明のドラムユニットは、現像カートリッジを装着可能である。現像カートリッジは、現像ローラと、筐体とを有する。現像ローラは、第１方向に延びる現像軸について回転可能である。筐体は、トナーを収容可能である。ドラムユニットは、感光ドラムと、フレームと、ロックレバーとを備える。
【０００７】
感光ドラムは、第１方向に延びるドラム軸について回転可能である。
【０００８】
フレームは、現像カートリッジを装着可能である。フレームは、第１側板と、第２側板と、連結板とを有する。第１側板は、第１方向における感光ドラムの一端部を支持する。第２側板は、第１方向において第１側板と間隔を隔てて位置する。第２側板は、第１方向における感光ドラムの他端部を支持する。連結板は、第１方向において第１側板と第２側板との間に位置する。
【０００９】
ロックレバーは、現像ローラが感光ドラムに接触する状態で、ドラムユニットに現像カートリッジをロックする。
【００１０】
連結板は、第１突起を有する。第１突起は、現像カートリッジがフレームに装着された状態で、現像カートリッジがロックレバーによってドラムユニットにロックされるロック位置に位置する場合に、筐体と離れて位置する。第１突起は、現像カートリッジがフレームに装着された状態で、現像カートリッジがロック位置からロックレバーによるドラムユニットに対する現像カートリッジのロックが解除されるロック解除位置に移動した場合に、筐体と接触し、現像ローラを感光ドラムから離間させる。
【００１１】
このような構成によれば、現像カートリッジがロック位置からロック解除位置に移動した場合に、ドラムユニットに設けられる第１突起および第２突起が、筐体と接触し、現像ローラを感光ドラムから離間させる。
【００１２】
これにより、現像カートリッジがドラムユニットに装着された状態で、ドラムユニットに意図しない衝撃が加わり、現像カートリッジがロック位置からロック解除位置に移動した場合に、現像ローラを感光ドラムから離間させることができる。
【００１３】
その結果、ドラムユニットを画像形成装置に装着する際に、仮に現像カートリッジのロックが外れたとしても、現像ローラが感光ドラムに接触している状態になることを防止できる。
【発明の効果】
【００１４】
本発明のドラムユニットによれば、ドラムユニットを画像形成装置に装着する際に、仮に現像カートリッジのロックが外れたとしても、現像ローラが感光ドラムに接触している状態になることを防止できる。
【図面の簡単な説明】
【００１５】
【図１】図１は、本発明のドラムユニットの斜視図である。
【図２】図２は、図１に示すドラムユニットが装着される画像形成装置の概略構成図である。
【図３】図３は、現像カートリッジがドラムユニットに装着され、現像カートリッジがロック位置に位置した状態を示す断面図であって、ボスおよびロックレバーを通る断面図である。
【図４】図４は、図３に示す連結板の斜視図である。
【図５】図５は、現像カートリッジのロック位置からロック解除位置への移動について説明するための説明図であって、現像カートリッジがロック位置からロック解除位置へ移動する途中で、筐体が第１突起に接触した状態を示す。
【図６】図６は、図５とともに、現像カートリッジのロック位置からロック解除位置への移動について説明するための説明図であって、現像カートリッジがロック解除位置に位置した状態を示す。
【図７】図７Ａは、第２実施形態のプロセスカートリッジを説明する説明図であって、現像カートリッジがロック位置に位置し、第１突起とガイドとが離れている状態を示す。図７Ｂは、図７Ａと同じく現像カートリッジがロック位置に位置した状態を示し、第２突起と連結板とが離れている状態を示す。
【図８】図８Ａは、図７Ａに続き、現像カートリッジがロック位置からロック解除位置に移動する途中で、第１突起とガイドとが接触した状態を示す。図８Ｂは、図８Ａと同じく現像カートリッジがロック位置からロック解除位置に移動する途中の状態を示し、第２突起と連結板とが接触した状態を示す。
【図９】図９Ａは、図８Ａに続き、現像カートリッジがロック解除位置に位置した状態を示し、第１突起とガイドとが接触し、かつ、現像ローラが感光ドラムから離間した状態を示す。図９Ｂは、図９Ａと同じく現像カートリッジがロック解除位置に位置した状態を示し、第２突起と連結板とが接触し、かつ、現像ローラが感光ドラムから離間した状態を示す。
【図１０】図１０は、図７Ａに示す現像カートリッジの斜視図である。
【図１１】図１１は、図１０に示す現像カートリッジを別のアングルから見た斜視図である。
【図１２】図１２は、第２実施形態の変形例を説明するための説明図である。
【発明を実施するための形態】
【００１６】
（第１実施形態）
１．ドラムユニット１の概略
図１および図２を参照して、ドラムユニット１の概略について説明する。
【００１７】
図１に示すように、ドラムユニット１は、複数の感光ドラム３Ｋ、３Ｙ、３Ｍ、３Ｃを備える。ドラムユニット１は、装着方向において、画像形成装置１００（図２参照）に装着可能である。
【００１８】
複数の感光ドラム３Ｋ、３Ｙ、３Ｍ、３Ｃは、装着方向に並ぶ。複数の感光ドラム３Ｋ、３Ｙ、３Ｍ、３Ｃは、装着方向において、互いに間隔を空ける。なお、複数の感光ドラム３Ｋ、３Ｙ、３Ｍ、３Ｃは、それぞれ、同じ構造を有する。そのため、以下の説明では、感光ドラム３Ｍについて説明し、感光ドラム３Ｋ、３Ｙ、３Ｃについての説明を省略する。感光ドラム３Ｍは、トナー像が形成されるように構成される。感光ドラム３Ｍは、第１方向に延びる。第１方向は、装着方向と交差する。好ましくは、第１方向は、装着方向と直交する。感光ドラム３Ｍは、第１方向に延びるドラム軸Ａ１について回転可能である。
【００１９】
また、図２に示すように、ドラムユニット１は、複数の現像カートリッジ１０１Ｋ、１０１Ｙ、１０１Ｍ、１０１Ｃを装着可能である。なお、複数の現像カートリッジ１０１Ｋ、１０１Ｙ、１０１Ｍ、１０１Ｃは、それぞれ、同じ構造を有する。そのため、以下の説明では、現像カートリッジ１０１Ｍについて説明し、現像カートリッジ１０１Ｋ、１０１Ｙ、１０１Ｃについての説明を省略する。現像カートリッジ１０１Ｍは、筐体１０２と、現像ローラ１０３とを有する。
【００２０】
筐体１０２は、トナーを収容可能である。
【００２１】
現像ローラ１０３は、筐体１０２内のトナーを感光ドラム３Ｍに供給するように構成される。現像ローラ１０３は、第１方向に延びる現像軸Ａ２について回転可能である。現像ローラ１０３は、現像カートリッジ１０１Ｍがドラムユニット１に装着された状態で、感光ドラム３Ｍに接触する。
【００２２】
２．ドラムユニット１の詳細
図１から図４を参照して、ドラムユニット１の詳細について説明する。
【００２３】
図１に示すように、ドラムユニット１は、複数のロックレバー１１Ｋ、１１Ｙ、１１Ｍ、１１Ｃと、フレーム１２とを備える。なお、複数のロックレバー１１Ｋ、１１Ｙ、１１Ｍ、１１Ｃは、後述するフレーム１２の第１側板２１Ａに設けられる。また、複数のロックレバー１１Ｋ、１１Ｙ、１１Ｍ、１１Ｃは、後述するフレーム１２の第２側板２１Ｂにも、設けられる。第１側板２１Ａの複数のロックレバー１１Ｋ、１１Ｙ、１１Ｍ、１１Ｃ、および、第２側板２１Ｂの複数のロックレバー１１Ｋ、１１Ｙ、１１Ｍ、１１Ｃは、それぞれ、同じ構造を有する。そのため、以下の説明では、第１側板２１Ａのロックレバー１１Ｍについて説明し、第１側板２１Ａのロックレバー１１Ｋ、１１Ｙ、１１Ｃ、および、第２側板２１Ｂのロックレバー１１Ｋ、１１Ｙ、１１Ｍ、１１Ｃについての説明を省略する。
【００２４】
２．１  ロックレバー１１Ｍ
図３に示すように、ロックレバー１１Ｍは、現像ローラ１０３が感光ドラム３Ｍに接触する状態で、ドラムユニット１に現像カートリッジ１０１Ｍをロックする。
【００２５】
現像カートリッジ１０１Ｍをドラムユニット１に対してロックするとは、現像ローラ１０３が感光ドラム３Ｍに対して所定の押圧力で接触するように、現像カートリッジ１０１Ｍをドラムユニット１に対して固定することをいう。なお、現像カートリッジ１０１Ｍは、ドラムユニット１にロックされた状態で、ドラムユニット１に対して所定の範囲で移動可能であってもよい。現像カートリッジ１０１Ｍがドラムユニット１にロックされた状態で、現像カートリッジ１０１Ｍがドラムユニット１に対して移動する範囲は、感光ドラム３Ｍに対する現像ローラ１０３の押圧力が所定の押圧力となる範囲である。
【００２６】
詳しくは、現像カートリッジ１０１Ｍは、フレーム１２に装着された状態で、ロック位置（図３参照）と、ロック解除位置（図６参照）との間を移動可能である。ロック位置は、現像カートリッジ１０１Ｍがロックレバー１１Ｍによってドラムユニット１にロックされる位置である。ロック解除位置は、ロックレバー１１Ｍによるドラムユニット１に対する現像カートリッジ１０１Ｍのロックが解除される位置である。図３に示すように、現像カートリッジ１０１Ｍがロック位置に位置するとき、現像ローラ１０３は、感光ドラム３Ｍに接触する。図６に示すように、現像カートリッジ１０１Ｍがロック解除位置に位置するとき、現像ローラ１０３は、感光ドラム３Ｍから離間する。現像カートリッジ１０１Ｍは、ボス１０４を有する。ボス１０４は、第１方向における筐体１０２の外表面に位置する。ボス１０４は、第１方向に延びる。詳しくは、ボス１０４は、第１方向において、第１方向における筐体１０２の外表面から第１側板２１Ａ（図１参照）に向かって延びる。なお、現像カートリッジ１０１Ｍは、図示しないボスを有する。図示しないボスは、第１方向において、筐体１０２に対してボス１０４の反対側に位置する。図示しないボスは、現像カートリッジ１０１Ｍがロック位置に位置するときに、第２側板２１Ｂのロックレバー１１Ｍ（図１参照）と接触する。
【００２７】
ロックレバー１１Ｍは、押圧位置（図３参照）と、押圧解除位置（図６参照）との間を回動可能である。図３に示すように、ロックレバー１１Ｍは、現像カートリッジ１０１Ｍがロック位置に位置するときに、押圧位置に位置する。ロックレバー１１Ｍは、押圧位置に位置するときに、ボス１０４と接触し、ボス１０４を、感光ドラム３Ｍに向かう成分を含む方向に向かって押圧する。すなわち、ロックレバー１１Ｍは、現像カートリッジ１０１Ｍがロック位置に位置するときに、ボス１０４と接触する。詳しくは、ロックレバー１１Ｍは、第１接触面１３を有する。第１接触面１３は、現像カートリッジ１０１Ｍがロック位置に位置し、ロックレバー１１Ｍが押圧位置に位置するときに、ボス１０４と接触する。また、図６に示すように、ロックレバー１１Ｍは、現像カートリッジ１０１Ｍがロック解除位置に位置するときに、押圧解除位置に位置する。ロックレバー１１Ｍは、押圧解除位置に位置するときに、感光ドラム３Ｍに向かう成分を含む方向へのボス１０４に対する押圧を解除する。ロックレバー１１Ｍは、押圧解除位置に位置するときに、感光ドラム３Ｍに向かう成分を含む方向へのボス１０４に対する押圧を解除した状態で、ボス１０４と接触する。すなわち、ロックレバー１１Ｍは、現像カートリッジ１０１Ｍがロック解除位置に位置するときに、ボス１０４と接触する。詳しくは、ロックレバー１１Ｍは、第１接触面１３とは異なる第２接触面１４を有する。第２接触面１４は、現像カートリッジ１０１Ｍがロック解除位置に位置し、ロックレバー１１Ｍが押圧解除位置に位置するときに、ボス１０４と接触する。
【００２８】
２．２  フレーム１２
図２に示すように、フレーム１２は、複数の現像カートリッジ１０１Ｋ、１０１Ｙ、１０１Ｍ、１０１Ｃを装着可能である。図１に示すように、フレーム１２は、第１側板２１Ａと、第２側板２１Ｂと、複数の連結板２２Ｋ、２２Ｙ、２２Ｍ、２２Ｃとを有する。
【００２９】
２．２．１  第１側板２１Ａおよび第２側板２１Ｂ
第１側板２１Ａは、第２側板２１Ｂとともに、複数の感光ドラム３Ｋ、３Ｙ、３Ｍ、３Ｃを支持する。複数の感光ドラム３Ｋ、３Ｙ、３Ｍ、３Ｃのそれぞれは、第１方向における一端部と、第１方向において一端部から離れて位置する他端部とを有する。第１側板２１Ａは、複数の感光ドラム３Ｋ、３Ｙ、３Ｍ、３Ｃのそれぞれの第１方向における一端部を支持する。第１側板２１Ａは、第１方向において、第２側板２１Ｂに対して間隔を隔てて位置する。第１側板２１Ａは、装着方向に延びる。第１側板２１Ａは、図３に示すように、複数のガイド４Ｋ（図示せず）、４Ｙ、４Ｍ、４Ｃを有する。
【００３０】
複数のガイド４Ｋ、４Ｙ、４Ｍ、４Ｃは、装着方向に並ぶ。複数のガイド４Ｋ、４Ｙ、４Ｍ、４Ｃは、装着方向において、互いに間隔を空ける。なお、複数のガイド４Ｋ、４Ｙ、４Ｍ、４Ｃは、それぞれ、同じ構造を有する。そのため、以下の説明では、ガイド４Ｍについて説明し、ガイド４Ｋ、４Ｙ、４Ｃについての説明を省略する。ガイド４Ｍは、現像カートリッジ１０１Ｍがドラムユニット１に装着されるときに、現像カートリッジ１０１Ｍの現像ローラ１０３のシャフト１０３Ａをガイドする。ガイド４Ｍには、現像カートリッジ１０１Ｍがドラムユニット１に装着されるときに、現像カートリッジ１０１Ｍの現像ローラ１０３のシャフト１０３Ａが、嵌まる。
【００３１】
図１に示すように、第２側板２１Ｂは、第１側板２１Ａとともに、複数の感光ドラム３Ｋ、３Ｙ、３Ｍ、３Ｃを支持する。第２側板２１Ｂは、複数の感光ドラム３Ｋ、３Ｙ、３Ｍ、３Ｃのそれぞれの第１方向における他端部を支持する。第２側板２１Ｂは、第１方向において、第１側板２１Ａと間隔を隔てて位置する。第２側板２１Ｂは、装着方向に延びる。第２側板２１Ｂは、図示しない複数のガイドを有する。図示しない複数のガイドのそれぞれは、第１側板２１Ａのガイド４Ｍ（図３参照）と同様に、対応する現像カートリッジのシャフトをガイドする。
【００３２】
２．２．２  連結板２２Ｍ
図１に示すように、複数の連結板２２Ｋ、２２Ｙ、２２Ｍ、２２Ｃは、第１方向において、第１側板２１Ａと第２側板２１Ｂとの間に位置する。複数の連結板２２Ｋ、２２Ｙ、２２Ｍ、２２Ｃは、装着方向に並ぶ。複数の連結板２２Ｋ、２２Ｙ、２２Ｍ、２２Ｃは、装着方向において、互いに間隔を隔てる。なお、複数の連結板２２Ｋ、２２Ｙ、２２Ｍ、２２Ｃは、それぞれ、同じ構造を有する。そのため、以下の説明では、連結板２２Ｍについて説明し、連結板２２Ｋ、２２Ｙ、２２Ｃについての説明を省略する。図３に示すように、連結板２２Ｍは、現像カートリッジ１０１Ｍがドラムユニット１に装着され、ロック位置に位置した状態で、装着方向において、現像カートリッジ１０１Ｍに対して下流側に位置する。連結板２２Ｍは、第１方向に延びる。連結板２２Ｍは、第１突起２３Ａと、第２突起２３Ｂ（図４参照）とを有する。
【００３３】
第１突起２３Ａは、装着方向において、連結板２２Ｍの上流側端部に位置する。第１突起２３Ａは、連結板２２Ｍから、装着方向の上流側に向かって突出する。第１突起２３Ａは、連結板２２Ｍから延びてもよく、連結板２２Ｍに取り付けられてもよい。第１突起２３Ａは、第１方向に延びる。第１突起２３Ａは、現像カートリッジ１０１Ｍがドラムユニット１に装着され、ロック位置に位置するときに、現像カートリッジ１０１Ｍの重心Ｃよりも下方に位置する。第１突起２３Ａは、現像カートリッジ１０１Ｍがフレーム１２に装着された状態で、ロック位置に位置する場合に、筐体１０２と離れて位置する。
【００３４】
図４に示すように、第２突起２３Ｂは、第１方向において、第１突起２３Ａと間隔を隔てて位置する。第２突起２３Ｂは、装着方向において、連結板２２Ｍの上流側端部に位置する。第２突起２３Ｂは、第１突起２３Ａと同様に、現像カートリッジ１０１Ｍがドラムユニット１に装着され、ロック位置に位置するときに、現像カートリッジ１０１Ｍの重心Ｃ（図３参照）よりも下方に位置する。第２突起２３Ｂは、第１突起２３Ａと同様に、現像カートリッジ１０１Ｍがフレーム１２に装着された状態で、ロック位置に位置する場合に、筐体１０２（図３参照）と離れて位置する。
【００３５】
なお、第１突起２３Ａおよび第２突起２３Ｂは、画像形成装置１００のレーザースキャンユニット１１０（図２参照）が感光ドラム３Ｍを露光することを妨げない。第１突起２３Ａと第２突起２３Ｂとは、第１方向において、レーザースキャンユニット１１０からの光が通過することを許容する程度の間隔を隔てる。
【００３６】
３．ロック位置からロック解除位置への現像カートリッジ１０１Ｍの移動
図３、図５および図６を参照して、ロック位置からロック解除位置への現像カートリッジ１０１Ｍの移動について説明する。
【００３７】
図３に示すように、現像カートリッジ１０１Ｍがロック位置に位置するとき、現像ローラ１０３は、ガイド４Ｍに嵌まることにより、感光ドラム３Ｍに対して位置決めされている。これにより、現像カートリッジ１０１Ｍは、ロック位置（図３参照）からロック解除位置（図６参照）へ向かって移動するときに、現像軸Ａ２を中心として回動する。
【００３８】
そして、図５に示すように、現像カートリッジ１０１Ｍがロック位置からロック解除位置へ移動する途中で、筐体１０２は、第１突起２３Ａに接触する。なお、このとき、筐体１０２は、第２突起２３Ｂ（図４参照）にも接触する。
【００３９】
すると、現像カートリッジ１０１Ｍの回転中心は、現像軸Ａ２から、第１突起２３Ａおよび第２突起２３Ｂに替わる。
【００４０】
これにより、現像カートリッジ１０１Ｍは、第１突起２３Ａおよび第２突起２３Ｂを中心として回動し、図６に示すように、現像ローラ１０３は、感光ドラム３Ｍから離間する。すなわち、第１突起２３Ａは、現像カートリッジ１０１Ｍがフレーム１２に装着された状態で、現像カートリッジ１０１Ｍがロック位置からロック解除位置に移動した場合に、筐体１０２と接触し、現像ローラ１０３を感光ドラム３Ｍから離間させる。
【００４１】
第１突起２３Ａは、現像カートリッジ１０１Ｍがロック解除位置に位置するときに、現像軸Ａ２よりも上方に位置する。また、第２突起２３Ｂ（図４参照）は、第１突起２３Ａと同様に、現像カートリッジ１０１Ｍがロック解除位置に位置するときに、現像軸Ａ２よりも上方に位置する。
【００４２】
その後、現像カートリッジ１０１Ｍは、筐体１０２が第１突起２３Ａおよび第２突起２３Ｂと接触し、かつ、ボス１０４がロックレバー１１Ｍの第２接触面１４と接触することにより、現像ローラ１０３が感光ドラム３Ｍから離間した状態で、ドラムユニット１に支持される。
【００４３】
３．作用効果
ドラムユニット１によれば、図６に示すように、現像カートリッジ１０１Ｍがロック位置からロック解除位置に移動した場合に、ドラムユニット１に設けられる第１突起２３Ａおよび第２突起２３Ｂが、筐体１０２と接触し、現像ローラ１０３を感光ドラム３Ｍから離間させる。
【００４４】
これにより、現像カートリッジ１０１Ｍがドラムユニット１に装着された状態で、ドラムユニット１に意図しない衝撃が加わり、現像カートリッジ１０１Ｍがロック位置からロック解除位置に移動した場合に、現像ローラ１０３を感光ドラム３Ｍから離間させることができる。
【００４５】
例えば、現像カートリッジ１０１Ｍを装着したドラムユニット１を、画像形成装置１００（図２参照）に装着するときに、ドラムユニット１を画像形成装置１００に強く押しこんだ場合、ドラムユニット１に、装着方向に向かう衝撃が加わる。
【００４６】
このような場合、衝撃によって、現像カートリッジ１０１Ｍがロック位置からロック解除位置に移動する可能性があるが、現像カートリッジ１０１Ｍがロック位置からロック解除位置に移動した場合、現像ローラ１０３は、感光ドラム３Ｍから離間する。
【００４７】
その結果、ドラムユニット１を画像形成装置１００に装着する際に、仮に現像カートリッジ１０１Ｍのロックが外れたとしても、現像ローラ１０３が感光ドラム３Ｍに接触している状態になることを防止できる。
【００４８】
なお、この状態で画像形成動作が開始されたとしても、感光ドラム３Ｍにはトナー像が形成されない。
【００４９】
（第２実施形態）
以下、図７Ａから図１２を参照して、第２実施形態について説明する。なお、第２実施形態の説明において、上記した第１実施形態と同様の部材には同様の符号を付し、その説明を省略する。
【００５０】
第２実施形態では、図７Ａから図９Ｂに示すように、現像カートリッジ１０１Ｍがフレーム１２に装着された状態で、現像カートリッジ１０１Ｍがロック位置（図７Ａおよび図７Ｂ参照）からロック解除位置（図９Ａおよび図９Ｂ参照）に移動した場合に、現像カートリッジ２０１Ｍに設けられる第１突起２０６Ａおよび第２突起２０６Ｂがドラムユニット１の一部に接触することにより、現像ローラ１０３が感光ドラム３Ｍから離間する。
【００５１】
１．プロセスカートリッジの概略
図７Ａおよび図７Ｂに示すように、第２実施形態のプロセスカートリッジは、現像カートリッジ２０１Ｍと、ドラムユニット２０２とを備える。
【００５２】
現像カートリッジ２０１Ｍは、上記した現像ローラ１０３と、上記した筐体１０２とを備える。
【００５３】
ドラムユニット２０２は、現像カートリッジ２０１Ｍが装着可能である。ドラムユニット２０２は、上記した感光ドラム３Ｍと、フレーム２０２Ａと、上記したロックレバー１１Ｍとを有する。
【００５４】
フレーム２０２Ａは、上記した第１側板２１Ａ（図１参照）と、上記した第２側板２１Ｂ（図１参照）と、連結板２０３Ｍとを有する。
【００５５】
第１側板２１Ａは、ガイド４Ｍを有する。ガイド４Ｍは、ドラムユニット１に対する現像カートリッジ１０１Ｍの装着をガイドする。詳しくは、ガイド４Ｍは、現像カートリッジ１０１Ｍがドラムユニット１に装着されるときに、現像カートリッジ１０１Ｍの現像ローラ１０３のシャフト１０３Ａをガイドする。ガイド４Ｍには、現像カートリッジ１０１Ｍがドラムユニット１に装着されるときに、第１方向におけるシャフト１０３Ａの一端部が、嵌まる。
【００５６】
第２側板２１Ｂは、ガイド５Ｍを有する。ガイド５Ｍは、ガイド４Ｍとともに、ドラムユニット１に対する現像カートリッジ１０１Ｍの装着をガイドする。詳しくは、ガイド５Ｍは、現像カートリッジ１０１Ｍがドラムユニット１に装着されるときに、現像カートリッジ１０１Ｍの現像ローラ１０３のシャフト１０３Ａをガイドする。ガイド４Ｍには、現像カートリッジ１０１Ｍがドラムユニット１に装着されるときに、第１方向におけるシャフト１０３Ａの他端部が、嵌まる。
【００５７】
連結板２０３Ｍは、第１突起２３Ａおよび第２突起２３Ｂを有さない以外は、上記した連結板２２Ｍと同じ構造を有する。
【００５８】
２．現像カートリッジ２０１Ｍの詳細
図１０および図１１に示すように、現像カートリッジ２０１Ｍは、現像ローラギア２０４と、カップリング２０７と、ギアカバー２０５と、第１突起２０６Ａと、第２突起２０６Ｂ（図１１参照）とを有する。
【００５９】
２．１  現像ローラギア２０４
図１０に示すように、現像ローラギア２０４は、第１方向における現像ローラ１０３の一端部に位置する。現像ローラギア２０４は、現像ローラ１０３とともに回転可能である。現像ローラギア２０４は、第１方向における現像ローラ１０３の一端部に取り付けられる。
【００６０】
２．２  カップリング２０７
カップリング２０７は、現像ローラ１０３に駆動力を伝えることができる。詳しくは、カップリング２０７には、画像形成装置１００（図２参照）に設けられる図示しないカップリングが嵌まる。カップリング２０７は、現像ローラギア２０４に噛み合う図示しないギアを有する。カップリング２０７は、第１方向に延びるカップリング軸Ａ３について回転可能である。
【００６１】
２．３  ギアカバー２０５
ギアカバー２０５は、現像ローラギア２０４を覆う。詳しくは、ギアカバー２０５は、現像ローラギア２０４の少なくとも一部を覆う。ギアカバー２０５は、第１方向における筐体１０２の一端部に位置する。ギアカバー２０５は、筒部２０５Ａを備える。
【００６２】
筒部２０５Ａは、カップリング２０７の周面を覆う。筒部２０５Ａは、第１方向に延びる。筒部２０５Ａは、円筒形状を有する。
【００６３】
２．４  第１突起２０６Ａおよび第２突起２０６Ｂ
図７Ａおよび図１０に示すように、第１突起２０６Ａは、筒部２０５Ａから突出する。すなわち、ギアカバー２０５は、第１突起２０６Ａを有する。第１突起２０６Ａは、現像カートリッジ２０１Ｍがフレーム２０２Ａに装着された状態で、現像カートリッジ２０１Ｍがロックレバー１１Ｍにロックされるロック位置に位置する場合に、装着方向において、カップリング２０７に対して下流側に位置する。第１突起２０６Ａは、第１方向に延びる。第１突起２０６Ａは、現像カートリッジ２０１Ｍがフレーム２０２Ａに装着された状態で、現像カートリッジ２０１Ｍがロック位置に位置する場合に、ガイド４Ｍと離れて位置する。
【００６４】
図７Ｂおよび図１０に示すように、第２突起２０６Ｂは、筐体１０２から突出する。第２突起２０６Ｂは、第１方向に延びる。第２突起２０６Ｂは、現像カートリッジ２０１Ｍがフレーム２０２Ａに装着された状態で、現像カートリッジ２０１Ｍがロックレバー１１Ｍにロックされるロック位置に位置する場合に、連結板２０３Ｍと離れて位置する。
【００６５】
２．５  ロック位置からロック解除位置への現像カートリッジ１０１Ｍの移動
図７Ａから図９Ｂを参照して、ロック位置からロック解除位置への現像カートリッジ２０１Ｍの移動について説明する。
【００６６】
図７Ａおよび図７Ｂに示すように、現像カートリッジ２０１Ｍがロック位置に位置するとき、現像ローラ１０３は、ガイド４Ｍおよびガイド５Ｍに嵌まることにより、感光ドラム３Ｍに対して位置決めされている。これにより、現像カートリッジ２０１Ｍは、ロック位置（図７Ａおよび図７Ｂ参照）からロック解除位置（図９Ａおよび図９Ｂ参照）へ向かって移動するときに、現像軸Ａ２を中心として回動する。
【００６７】
そして、図８Ａおよび図８Ｂに示すように、現像カートリッジ２０１Ｍがロック位置からロック解除位置へ移動する途中で、第１突起２０６Ａは、ガイド４Ｍの内面に接触し、第２突起２０６Ｂは、連結板２０３Ｍの一部に接触する。
【００６８】
すると、現像カートリッジ２０１Ｍの回転中心は、現像軸Ａ２から、第１突起２０６Ａおよび第２突起２０６Ｂに替わる。
【００６９】
これにより、現像カートリッジ２０１Ｍは、第１突起２０６Ａおよび第２突起２０６Ｂを中心として回動し、図９Ａおよび図９Ｂに示すように、現像ローラ１０３は、感光ドラム３Ｍから離間する。すなわち、第１突起２０６Ａは、現像カートリッジ２０１Ｍがフレーム２０２Ａに装着された状態で、現像カートリッジ２０１Ｍがロック位置からロック解除位置に移動した場合に、ガイド４Ｍと接触し、現像ローラ１０３を感光ドラム３Ｍから離間させる。
【００７０】
第１突起２０６Ａは、現像カートリッジ２０１Ｍがロック解除位置に位置するときに、現像軸Ａ２よりも上方に位置する。また、第２突起２０６Ｂは、現像カートリッジ２０１Ｍがロック解除位置に位置するときに、現像軸Ａ２よりも上方に位置する。
【００７１】
その後、現像カートリッジ２０１Ｍは、第１突起２０６Ａがガイド４Ｍの内面と接触し、第２突起２０６Ｂが連結板２０３Ｍの一部と接触し、かつ、ボス１０４がロックレバー１１Ｍの第２接触面１４と接触することにより、現像ローラ１０３が感光ドラム３Ｍから離間した状態で、ドラムユニット１に支持される。
【００７２】
３．第２実施形態の作用効果
第２実施形態においても、上記した第１実施形態と同様の作用効果を得ることができる。
【００７３】
４．第２実施形態の変形例
上記した第２実施形態では、第２突起２０６Ｂは、筐体１０２から突出しているが、第２突起２０６Ｂの配置は、ドラムユニット１の一部に接触することができれば、特に限定されない。第２突起２０６Ｂは、図１２に示すように、現像ローラ１０３のシャフト１０３Ａを受ける軸受２１０から突出してもよい。
【符号の説明】
【００７４】
１        ドラムユニット
３Ｍ      感光ドラム
４Ｍ      ガイド
１１Ｍ    ロックレバー
１２      フレーム
２１Ａ    第１側板
２１Ｂ    第２側板
２２Ｍ    連結板
２３Ａ    第１突起
２３Ｂ    第２突起
１０１Ｍ  現像カートリッジ
１０２    筐体
１０３    現像ローラ
１０４    ボス
２０１Ｍ  現像カートリッジ
２０２    ドラムユニット
２０２Ａ  フレーム
２０４    現像ローラギア
２０５    ギアカバー
２０５Ａ  筒部
２０６Ａ  第１突起
２０７    カップリング
Ａ１      ドラム軸
Ａ２      現像軸
Ａ３      カップリング軸
【図１】
2018173563.tif 000003
【図２】
2018173563.tif 000004
【図３】
2018173563.tif 000005
【図４】
2018173563.tif 000006
【図５】
2018173563.tif 000007
【図６】
2018173563.tif 000008
【図７】
2018173563.tif 000009
【図８】
2018173563.tif 000010
【図９】
2018173563.tif 000011
【図１０】
2018173563.tif 000012
【図１１】
2018173563.tif 000013
【図１２】
2018173563.tif 000014